(57)【特許請求の範囲】
【請求項１】
録画機器と、
メディア再生機器とを内蔵し、映像を出力する映像出力装置であって、
前記録画機器および前記メディア再生機器へ流れる電流を測定する電流測定装置と、
前記録画機器および前記メディア再生機器へかかる電圧を測定する電圧測定装置と、
前記録画機器および前記メディア再生機器への電源供給を制御する制御部とを備え、
前記制御部は、
前記録画機器と、前記メディア再生機器とから信号を受信し、
前記信号に前記録画機器または前記メディア再生機器の異常状態を示すエラー信号が含まれていた場合、前記異常状態の機器の電流値および電圧値を検出して、前記異常状態の機器の電源ラインの異常状態である電源系異常状態であるか否かを判断し、
前記電源系異常状態と判断される場合、前記電源系異常状態の機器への電源供給を遮断し、
前記制御部は、前記電流測定装置および前記電圧測定装置の出力に基づいて、前記異常状態の機器の電流値および電圧値を検出する、
映像出力装置。
【請求項２】
前記制御部は、
前記電源系異常状態と判断されない場合、前記異常状態の機器への電源供給を継続する、
請求項１に記載の映像出力装置。
【請求項３】
前記制御部は、
前記信号に前記録画機器または前記メディア再生機器の異常状態を示すエラー信号が含まれていた場合、前記異常状態の機器の電流値および電圧値の検出に関わらず、前記異常状態の機器への電源供給を遮断する、
請求項１に記載の映像出力装置。
【請求項４】
前記録画機器および前記メディア再生機器への電源供給を遮断可能な電源回路遮断装置をさらに備え、
前記制御部は、
前記電源回路遮断装置を制御することにより、前記録画機器および前記メディア再生機器への電源供給を継続および遮断する、
請求項１〜３のいずれかに記載の映像出力装置。
【請求項５】
表示パネルをさらに備え、
前記制御部は、
前記異常状態の機器が存在する場合、前記異常状態の機器の存在を示す表示をするよう前記表示パネルを制御する、
請求項１〜４のいずれかに記載の映像出力装置。
【請求項６】
表示パネルをさらに備え、
前記制御部は、
前記異常状態の機器が操作される場合、操作される機器が前記異常状態であることを表示するよう前記表示パネルを制御する、
請求項１〜５のいずれかに記載の映像出力装置。
【発明の詳細な説明】
【技術分野】
【０００１】
本発明は映像出力装置に関し、特に、録画機器及びメディア再生機器を内蔵したテレビジョン受信機に関する。
【背景技術】
【０００２】
テレビジョン受信機に録画機器及びメディア再生機器を内蔵した場合、チューナ経由の映像表示をする単なるテレビジョン受信機の機能寿命と、内蔵された録画機器及びメディア再生機器の機能寿命及び故障率とは異なる。
【０００３】
録画機器及びメディア再生機器は、モータ等の動作する機構部品が使用されているために、モータ等の動作する機構部品がない単なるテレビジョン受信機よりもその機能寿命が短く、故障する確率が高い。
【０００４】
録画機器及びメディア再生機器が故障しても、テレビジョン受信機のみを動作させることは容易に考えられるが、故障原因を明確にしないで故障のまま放置して使用するとき、故障原因が電源関係であった場合には、テレビジョン受信機内の他の機器（特に電源系統）への悪影響が生じる可能性がある。また特許文献１のようにＨＤＤ自体の機能寿命を実質的に延ばすような試みもなされているが、他の機器の機能寿命との均衡を保つのには限界がある。
【先行技術文献】
【特許文献】
【０００５】
【特許文献１】特開２００４−１５７９６１号公報
【発明の概要】
【発明が解決しようとする課題】
【０００６】
上記のように、録画機器及びメディア再生機器が故障した時、故障原因を特定せずに安易にテレビジョン受信機のみを動作させた場合、録画機器及びメディア再生機器の故障原因が電源ラインにおけるものである場合には、テレビジョン受信機内の他の機器への悪影響が生じる可能性があるという問題があった。
【０００７】
本発明はこのような課題を解決するためになされたものであり、故障原因を特定し、安心して映像出力装置のみの動作を継続できる録画機器及びメディア再生機器内蔵の映像出力装置の提供を目的とする。
【課題を解決するための手段】
【０００８】
この発明は、録画機器と、メディア再生機器とを内蔵し、映像を出力する映像出力装置であって、前記録画機器および前記メディア再生機器へ流れる電流を測定する電流測定装置と、前記録画機器および前記メディア再生機器へかかる電圧を測定する電圧測定装置と、前記録画機器および前記メディア再生機器への電源供給を制御する制御部とを備え、前記制御部は、前記録画機器と、前記メディア再生機器とから信号を受信し、前記信号に前記録画機器または前記メディア再生機器の異常状態を示すエラー信号が含まれていた場合、前記異常状態の機器の電流値および電圧値を検出して、前記異常状態の機器の電源ラインの異常状態である電源系異常状態であるか否かを判断し、前記電源系異常状態と判断される場合、前記電源系異常状態の機器への電源供給を遮断し、前記制御部は、前記電流測定装置および前記電圧測定装置の出力に基づいて、前記異常状態の機器の電流値および電圧値を検出する。
【発明の効果】
【０００９】
この発明によれば、録画機器と、メディア再生機器とを内蔵し、映像を出力する映像出力装置であって、前記録画機器および前記メディア再生機器へ流れる電流を測定する電流測定装置と、前記録画機器および前記メディア再生機器へかかる電圧を測定する電圧測定装置と、前記録画機器および前記メディア再生機器への電源供給を制御する制御部とを備え、前記制御部は、前記録画機器と、前記メディア再生機器とから信号を受信し、前記信号に前記録画機器または前記メディア再生機器の異常状態を示すエラー信号が含まれていた場合、前記異常状態の機器の電流値および電圧値を検出して、前記異常状態の機器の電源ラインの異常状態である電源系異常状態であるか否かを判断し、前記電源系異常状態と判断される場合、前記電源系異常状態の機器への電源供給を遮断し、前記制御部は、前記電流測定装置および前記電圧測定装置の出力に基づいて、前記異常状態の機器の電流値および電圧値を検出することにより、電源系異常状態の場合には電源供給を遮断して他の機器を操作することができ、映像出力装置内の他の機器に対する悪影響を生じることなく安心して使用を継続することが可能となる。
【図面の簡単な説明】
【００１０】
【図１】この発明の実施の形態１を示す構成図である。
【図２】この発明の実施の形態１の動作を示す図である。
【発明を実施するための形態】
【００１１】
本発明は、録画機器及びメディア再生機器を内蔵した映像出力装置に関するもので、録画機器又はメディア再生機器が故障した場合でも、故障していない機器を動作させ、外部入力映像、チューナの映像等を表示することを目的としている。
【００１２】
＜Ａ．実施の形態１＞
＜Ａ−１．構成＞
図１は、この発明にかかるテレビジョン受信機の実施の形態１の構成図である。図に示すように本発明は、ＨＤＤ、ＳＳＤ、ＳＤ等の録画機器１と、ブルーレイ（ＢＤ）、ＤＶＤ、ＣＤ等のメディア再生機器２とが内蔵されているテレビジョン受信機であり、録画機器１、メディア再生機器２に対し、電源回路遮断装置１１、１４を介して電力を供給する電源回路３と、録画機器１、メディア再生機器２、ＬＣＤパネル１０、外部映像入力等を制御及び映像処理するマイコン内蔵映像処理ＩＣ４と、録画機器１及びメディア再生機器２、外部映像入力等の映像信号２４から最終的に画像を表示する表示パネルであるＬＣＤパネル（液晶パネル）１０（これはプラズマパネル、有機ＥＬ等の映像表示素子でもよい）とを備える。
【００１３】
マイコン内蔵映像処理ＩＣ４は、マイコン部５と、映像処理回路６とを備え、マイコン部５は、録画機器１およびメディア再生機器２と双方向信号１９、２０により通信し、映像処理回路６は、録画機器１およびメディア再生機器２から映像信号１７、１８を受信し、チューナ７、ＨＤＭＩ（登録商標）８、ビデオ入力９からそれぞれ映像信号２３、ＨＤＭＩ規格に沿ったデジタル信号２１、アナログ信号２２を受信する。
【００１４】
また、電源回路３と録画機器１との間には電流測定装置１２および電圧測定装置１３が配置される。
【００１５】
また、電源回路３とメディア再生機器２との間にも同様に、電流測定装置１５および電圧測定装置１６が配置される。
【００１６】
＜Ａ−２．動作＞
図２は、本発明にかかるテレビジョン受信機の動作を示す図である。
【００１７】
まず、ステップＳ１においてテレビジョン受信機の電源を入れる。次に、ステップＳ２に移行し、図１における録画機器１およびメディア再生機器２が、マイコン部５と双方向信号１９、２０により通信する信号を確認する。
【００１８】
ステップＳ２の双方向信号１９、２０において、録画機器１又はメディア再生機器２のエラー又は異常状態を示すエラー信号が含まれていた場合、ステップＳ４の録画機器１又はメディア再生機器２の電圧、電流検出のフローに移行する。
【００１９】
ステップＳ２の双方向信号１９、２０において、録画機器１又はメディア再生機器２のエラー又は異常状態を示すエラー信号が含まれていない場合、ステップＳ３に移行し、録画機器１、メディア再生機器２への電源供給を継続し、映像処理回路６において処理された映像を表示パネルであるＬＣＤパネル１０に表示する。
【００２０】
ステップＳ４おいて、異常状態である録画機器１又はメディア再生機器２の電圧、電流を検出する。録画機器１に関しては、電流測定装置１２、電圧測定装置１３にて電流値、電圧値を検出し、マイコン部５にて、録画機器１の電源ラインの異常状態である電源系異常状態であるか否かを判断する。録画機器１の電源ラインに異常がない（電源系異常状態でない）場合は、ステップＳ５に移行する。録画機器１の電源ラインに異常がある（電源系異常状態である）場合は、ステップＳ７に移行する。メディア再生機器２についても、電流測定装置１５、電圧測定装置１６にて電流値、電圧値を検出し、マイコン部５にて、メディア再生機器２の電源ラインが異常状態である電源系異常状態であるか否かを判断する。メディア再生機器２の電源ラインに異常がない（電源系異常状態でない）場合は、ステップＳ５に移行する。メディア再生機器２の電源ラインに異常がある（電源系異常状態である）場合は、ステップＳ７に移行する。
【００２１】
録画機器１またはメディア再生機器２の電源ラインに異常がある（電源系異常状態）とマイコン部５が判断し、ステップＳ７に移行した場合は、電源系異常状態の録画機器１またはメディア再生機器２の電源回路遮断装置１１、１４を働かせ、録画機器１またはメディア再生機器２の電源を遮断する（次回テレビジョン受信機の電源を入れる際にも、遮断状態を保つ）。電源系異常状態にあった電源ラインの電源遮断状態を維持しながら、再度ステップＳ４において電流測定装置１２、１５及び電圧測定装置１３、１６にて電流値、電圧値を検出し電源系異常状態か否かを判断する。１回目にステップＳ４にて電源系異常状態と判断され電源回路遮断装置１１、１４によって電源回路を遮断されているので、通常ここでは電源系異常状態とは判断されずステップＳ５に移行する。
【００２２】
ステップＳ５では、ステップＳ２にてエラー信号が含まれ、異常状態の録画機器１又はメディア再生機器２があることを使用者に知らしめるために、マイコン部５は、ＬＣＤパネル１０に故障している旨の表示を出す。
【００２３】
ステップＳ６では、故障していない録画機器１、メディア再生機器２、チューナ７、ＨＤＭＩ８、ビデオ入力９等の映像を、ＬＣＤパネル１０に表示する。
【００２４】
異常状態である録画機器１又はメディア再生機器２をステップＳ５にて通知したにもかかわらず操作した場合には、再度ステップＳ５に戻り、マイコン部５はＬＣＤパネル１０に故障している旨の表示を出す。
【００２５】
電源系異常状態の録画機器１、メディア再生機器２のそれぞれへの電源供給を遮断し、その他の故障していない機器を使用できるようにしているのは、機能寿命の短い機器により、すべての機器を使用できなくするのは使用者にとって不利益であるからである。
【００２６】
なお、録画機器１、メディア再生機器２の電源系異常状態での判断だけでなく、信号不良である異常状態の段階でもこれらの機器への電源供給を遮断することも可能である。すなわち、エラー信号が含まれていた場合、異常状態の機器の電流および電圧状態の検出に関わらず、電源供給を遮断することも可能である。ただ、メディア不良、ＨＤＤのセクター不良等の一部の不良の可能性もあり、たまたま信号系統の不良が発生した可能性もある。そのような場合には使用中止にする必要がないので、信号不良である異常状態の段階で使用者がすぐに録画機器１、メディア再生機器２を使用できなくなってしまうことは望ましくはない。
【００２７】
＜Ａ−３．効果＞
この発明にかかる実施の形態１によれば、録画機器１と、メディア再生機器２とを内蔵し、映像を出力する映像出力装置であって、録画機器１およびメディア再生機器２への電源供給を制御する制御部であるマイコン部５を備え、マイコン部５は、録画機器１と、メディア再生機器２とから信号を受信し、前記信号に録画機器１またはメディア再生機器２の異常状態を示すエラー信号が含まれていた場合、異常状態の機器の電流値および電圧値を検出して、異常状態の機器の電源ラインの異常状態である電源系異常状態であるか否かを判断し、電源系異常状態と判断される場合、電源系異常状態の機器への電源供給を遮断することで、電源系異常状態の機器が存在する場合にはその機器への電源供給を遮断して他の機器を操作することができ、テレビジョン受信機内の他の機器に対する悪影響を生じることなく安心して使用を継続することが可能となる。
【００２８】
また、この発明にかかる実施の形態１によれば、テレビジョン受信機において、録画機器１およびメディア再生機器２へ流れる電流を測定する電流測定装置１２、１５と、録画機器１およびメディア再生機器２へかかる電圧を測定する電圧測定装置１３、１６とをさらに備え、制御部であるマイコン部５は、電流測定装置１２、１５および電圧測定装置１３、１６の出力に基づいて、異常状態の機器の電流および電圧状態を検出することで、異常状態の原因が電源系異常状態にあるのか否かを判断でき、マイコン部５においてその機器への電源供給の遮断の有無を決定することが可能となる。
【００２９】
また、この発明にかかる実施の形態１によれば、テレビジョン受信機において、制御部であるマイコン部５は、電源系異常状態と判断されない場合、異常状態の機器への電源供給を継続することで、録画機器１及びメディア再生機器２の異常状態が、信号関係の不良等によるもので、他の機器への悪影響が生じる可能性がないと判断できた場合は、電源供給の遮断をすることなく、故障した録画機器１又はメディア再生機器２以外のチューナ７等の映像信号を表示することができる。
【００３０】
また、この発明にかかる実施の形態１によれば、テレビジョン受信機において、制御部であるマイコン部５は、受信した信号に録画機器１またはメディア再生機器２の異常状態を示すエラー信号が含まれていた場合、異常状態の機器の電流および電圧状態の検出に関わらず、異常状態の機器への電源供給を遮断することで、故障した機器による他の機器への影響を考慮することなく、故障していない機器により映像信号を表示することが可能となる。
【００３１】
また、この発明にかかる実施の形態１によれば、テレビジョン受信機において、録画機器１およびメディア再生機器２への電源供給を遮断可能な電源回路遮断装置１１、１４をさらに備え、制御部であるマイコン部５は、電源回路遮断装置１１、１４を制御することにより、録画機器１およびメディア再生機器２への電源供給を継続および遮断することで、電源系異常状態であるか否かの判断により電源供給を制御できる。
【００３２】
また、この発明にかかる実施の形態１によれば、テレビジョン受信機において、表示パネルであるＬＣＤパネル１０をさらに備え、制御部であるマイコン部５は、異常状態の機器が存在する場合、異常状態の機器の存在を示す表示をするようＬＣＤパネルを制御することで、ユーザーに故障している機器の存在を知らせることができる。
【００３３】
また、この発明にかかる実施の形態１によれば、テレビジョン受信機において、表示パネルであるＬＣＤパネル１０をさらに備え、制御部であるマイコン部５は、異常状態の機器が操作される場合、操作される機器が異常状態であることを示す表示をするようＬＣＤパネル１０を制御することで、ユーザーが故障している機器を使用しようとする場合に警告をすることが可能となる。
【産業上の利用可能性】
【００３４】
本発明の活用例として、録画機器、メディア再生機器等の付加機能を追加したテレビ受信機、モニターのほかに、ケーブルテレビ受信用ＳＴＢ、パソコンなどの情報処理装置や、テレビ受信機に接続されるＢＤ／ＤＶＤ，チューナなどの周辺機器への適用も考えられる。
【符号の説明】
【００３５】
１  録画機器、２  メディア再生機器、３  電源回路、４  マイコン内蔵映像処理ＩＣ、５  マイコン部、６  映像処理回路、７  チューナ、８  ＨＤＭＩ（外部映像入力端子）、９  ビデオ入力（外部映像入力端子）、１０  ＬＣＤパネル、１１，１４  電源回路遮断装置、１２，１５  電流測定装置、１３，１６  電圧測定装置、１７，１８，２３，２４  映像信号、１９，２０  双方向信号、２１  デジタル信号、２２  アナログ信号。
【図１】
0005562474.tif 000002
【図２】
0005562474.tif 000003